(57)【特許請求の範囲】
【請求項１】
コンテンツを取得する取得手段と、
前記取得手段に取得されたコンテンツを記憶する記憶手段と、
前記記憶手段に記憶されたコンテンツを再生する再生手段と、
前記記憶手段に記憶されたコンテンツを出力する外部出力装置の接続を受け付ける接続手段と、
第１の再生位置を指定するユーザ指示と、該第１の再生位置とは異なる第２の再生位置を指定するユーザ指示と、を受け付ける再生位置受付手段と、
前記再生位置受付手段が前記第１の再生位置を指定するユーザ指示を受け付けると、これに応答して、前記記憶手段に記憶されたコンテンツを前記第１の再生位置から前記接続手段に提供し、該コンテンツの前記接続手段への提供中に前記再生位置受付手段が前記第２の再生位置を指定するユーザ指示を受け付けると、提供中の該コンテンツを該第１の再生位置とは異なる前記第２の再生位置から前記再生手段に提供する出力制御手段と、
を備える携帯端末装置。
【請求項２】
前記接続手段に前記外部出力装置が接続されているか否かを判別する判別手段をさらに有し、
前記出力制御手段は、外部出力装置が接続されていると前記判別手段が判別した場合に、前記記憶手段に記憶されたコンテンツを第１の再生位置から前記外部出力装置に提供し、第２の再生位置から前記再生手段に提供する、
請求項１記載の携帯端末装置。
【請求項３】
前記外部出力装置が出力するコンテンツと前記再生手段が再生するコンテンツを切り替える出力切り替え指示を受け付ける切り替え受付手段をさらに有し、
前記出力制御手段は、前記切り替え受付手段が切り替え指示を受け付けた場合に、前記接続手段に提供するコンテンツと前記再生手段に提供するコンテンツとを切り替える、
請求項１記載の携帯端末装置。
【請求項４】
コンテンツを取得する取得手段と、コンテンツを再生する再生手段と、コンテンツを記憶する記憶手段と、コンテンツを出力する外部出力装置が接続可能な接続手段と、を有するコンピュータに、
前記取得手段にコンテンツを取得させる機能、
前記取得手段に取得されたコンテンツを前記記憶手段に記憶させる機能、
第１の再生位置を指定するユーザ指示と、該第１の再生位置とは異なる第２の再生位置を指定するユーザ指示と、を受け付ける機能、
前記第１の再生位置を指定するユーザ指示を受け付けると、これに応答して、前記記憶手段に記憶されたコンテンツを前記第１の再生位置から前記接続手段に提供し、該コンテンツの前記接続手段への提供中に前記第２の再生位置を指定するユーザ指示を受け付けると、提供中の該コンテンツを該第１の再生位置とは異なる前記第２の再生位置から前記再生手段に提供する機能、
を実現させるためのプログラム。
【発明の詳細な説明】
【技術分野】
【０００１】
この発明は、映像を出力する外部出力装置が装置本体に対して接続可能な携帯端末装置及びプログラムに関する。
【背景技術】
【０００２】
従来、デジタルテレビ放送受信チューナ付きの携帯電話装置としては、例えば、テレビ放送の視聴中において、電話着信時には現在視聴中の放送内容を録画する録画動作を開始し、通話終了時にはその録画を継続しつつ最初から録画内容を逐次再生出力（追っかけ再生）するようにした技術が知られている（特許文献１参照）。
【先行技術文献】
【特許文献】
【０００３】
【特許文献１】特開平２００２−２４７４９０号公報
【発明の概要】
【発明が解決しようとする課題】
【０００４】
しかしながら、上述した特許文献１の技術にあっては、通話時間（中断期間）が長かったようなときに、追っかけ再生（タイムシフト再生）時の再生速度が1.2倍速程度では現在の受信内容までなかなか追いつくことができず、結局、着信以降は全て追っかけ再生で視聴する結果となり、例えば、生中継のスポーツ番組でありながら決定的瞬間のシーン（例えば、ゴールシーン）までも追っかけ再生でしか視聴するしかなかった。
【０００５】
このように従来では、タイムシフト再生時には、現在放送中のテレビ番組をリアルタイムで視聴することは困難であった。
ところで、複数人でテレビ視聴している場合に、例えば、その場を一時的に離れた人が戻ってきたときには、中断個所からのタイムシフト再生を望むが、他の人はそのままのリアルタイム視聴を望む。また、一人でテレビ視聴している場合でもその楽しみ方として、タイムシフト再生と同時にリアルタイム視聴を望む場合も考えられる。
【０００６】
このことは、タイムシフト再生映像とリアルタイム映像との並列表示に限らず、外部メディアから映像コンテンツを読み出して再生出力している場合であっても、例えば、その場を一時的に離れた人が戻ってきたときには中断個所からの再生の望むが、他の人はそのままの再生を望むなど、上述と同様の問題が起きる。
【０００７】
この発明の課題は、装置本体側の表示部と装置本体に接続された外部出力装置によって第１の映像と第２の映像との同時出力を実現できるようにすることである。
【課題を解決するための手段】
【０００８】
請求項１記載の発明（第１の発明）はコンテンツを取得する取得手段と、前記取得手段に取得されたコンテンツを記憶する記憶手段と、前記記憶手段に記憶されたコンテンツを再生する再生手段と、前記記憶手段に記憶されたコンテンツを出力する外部出力装置の接続を受け付ける接続手段と、第１の再生位置を指定するユーザ指示と、該第１の再生位置とは異なる第２の再生位置を指定するユーザ指示と、を受け付ける再生位置受付手段と、前記再生位置受付手段が前記第１の再生位置を指定するユーザ指示を受け付けると、これに応答して、前記記憶手段に記憶されたコンテンツを前記第１の再生位置から前記接続手段に提供し、該コンテンツの前記接続手段への提供中に前記再生位置受付手段が前記第２の再生位置を指定するユーザ指示を受け付けると、提供中の該コンテンツを該第１の再生位置とは異なる前記第２の再生位置から前記再生手段に提供する出力制御手段と、を有する。
更に、コンピュータに対して、上述した請求項１記載の発明に示した主要機能を実現させるためのプログラムを提供する（請求項４記載の発明）。
【００１０】
前記接続手段に前記外部出力装置が接続されているか否かを判別する判別手段をさらに有し、前記出力制御手段は、外部出力装置が接続されていると前記判別手段が判別した場合に、前記記憶手段に記憶されたコンテンツを第１の再生位置から前記外部出力装置に提供し、第２の再生位置から前記再生手段に提供する（請求項２記載の発明）。
【００１５】
また、上述した請求項１記載の発明は、次のようなものであってもよい。
前記外部出力装置が出力するコンテンツと前記再生手段が再生するコンテンツを切り替える出力切り替え指示を受け付ける切り替え受付手段をさらに有し、前記出力制御手段は、前記切り替え受付手段が切り替え指示を受け付けた場合に、前記接続手段に提供するコンテンツと前記再生手段に提供するコンテンツとを切り替える（請求項３記載の発明）。
【発明の効果】
【００１６】
第１の発明は、再生手段と外部出力装置を接続する接続部に異なる再生開始位置からの各コンテンツを同時に提供することができる。
【図面の簡単な説明】
【００１７】
【図１】携帯端末装置として適用したデジタルテレビ放送受信機能付きの携帯電話装置１をクレードル（充電台）２に載置（接続）した状態を示した図。
【図２】デジタルテレビ放送受信機能付きの携帯電話装置１の基本的な構成要素を示したブロック図。
【図３】テレビ起動の指示操作に応じて実行開始されるＴＶアプリケーション処理を示したフローチャート。
【図４】図３に続く、フローチャート。
【図５】第２実施例において、リンクバッファ３０を説明するための図。
【図６】第２実施例において、テレビ起動の指示操作に応じて実行開始されるＴＶアプリケーション処理を示したフローチャート。
【図７】第３実施例において、コンテンツ再生の指示操作に応じて実行開始される再生処理を示したフローチャート。
【図８】第３実施例において、再生対象として選択されたコンテンツファイル３１に対して任意に指定された２個所の再生位置を説明するための図。
【発明を実施するための形態】
【００１８】
（実施例１）
以下、図１〜図４を参照して本発明の第１実施例を説明する。
この実施例は、携帯端末装置として携帯電話装置に適用した場合を例示したもので、図１は、デジタルテレビ放送受信機能付きの携帯電話装置１をクレードル（充電台）２に載置（接続）した状態を示した図である。
この携帯電話装置１は、２つの筐体が開閉可能に取り付けられた折り畳み自在なもので、電話機能（通話機能）、メール機能、インターネット接続機能（Ｗｅｂアクセス機能）のほか、テレビ放送受信機能、テレビ放送録画機能、再生機能などが備えられている。
【００１９】
そして、携帯電話装置１は、クレードル２に載置（接続）されている状態において、そのテレビ放送受信機能によって受信したテレビ放送信号をクレードル２を介してテレビ放送受信機能付きのＰＣ（パーソナルコンピュータ）あるいは固定テレビ装置などの外部出力装置３に赤外線通信によって送信することによって外部出力するようにしている。この場合、テレビ放送の外部出力に限らず、例えば、記録メディアから外部供給されたり、インターネットからダウンロード受信した映画コンテンツなどもクレードル２を介して外部出力装置３に送信して視聴可能となっている。
【００２０】
クレードル２は、ＡＣ電源に接続されている状態において携帯電話装置１が載置された際に、携帯電話装置１の二次電池（図示せず）に対して充電電流を供給する充電機能のほか、携帯電話装置１からの映像信号を赤外線通信を介して外部出力装置３との間でデータ中継を行うことによって映像信号を外部出力装置３に転送する映像転送機能などを備えたインテリジェント・クレードルである。外部出力装置３は、携帯電話装置１からクレードル２を介して送信されてきたテレビ映像信号、テレビ音声信号を受信して出力するが、その際、クレードル２から赤外線通信によって送信されてきた携帯サイズの映像信号を受信すると、この映像信号を自己の現在の画面サイズに変更して表示出力するようにしている。
【００２１】
図２は、デジタルテレビ放送受信機能付きの携帯電話装置１の基本的な構成要素を示したブロック図である。
ＣＰＵ１１は、記憶部１２内の各種のプログラムに応じてこの携帯電話装置の全体動作を制御する中核的な中央演算処理装置である。記憶部１２は、内部メモリであり、プログラム領域とデータ領域とを有し、このプログラム領域には、後述する図３及び図４に示す動作手順に応じて本実施例を実現するためのプログラムが格納されている。外部記録メディア１３は、着脱自在な可搬型メモリで、各種のデータ・プログラムを外部供給するもので、例えば、スマートメディア、ＩＣカードなどによって構成されており、動画、音楽などのコンテンツを外部供給する場合にも外部記録メディア１３が使用される。メモリ１４は、ワーク領域を有する内部メモリであり、必要に応じてメモリ１４内の各種のデータは、記憶部１２にセーブされる。
【００２２】
電話通信部１５は、無線部を構成するアンテナに接続された送受信部（ベースバンド部）の受信側から信号を取り込んで受信ベースバンド信号に復調したのちに、音響制御部１６を介して受話スピーカ１７から音声出力させる。また、電話通信部１５は、送話マイク１８から入力された音声データを音響制御部１６から取り込み、送信ベースバンド信に符号化したのちに送受信部の送信側に与えられてアンテナから発信出力させる。一方、インターネット接続機能などによって電話通信部１５を介して受信取得した映像コンテンツは、表示制御部１９を介してＬＣＤ（液晶表示装置）などのメイン表示部２０に与えられて表示出力される。サブ表示部２１は現在日時、簡易なメッセージ、アイコンなどを表示する。
【００２３】
テレビ放送受信部２２は、携帯電話などの携帯受信機向けの地上波デジタルテレビ放送を受信するもので、テレビ映像及び音声情報以外にも電子番組表(ＥＰＧ)なども含めて受信可能である。テレビ放送受信部２２は、ＴＶアンテナに接続されていて放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。ここで、ＣＰＵ１１は、テレビ映像データ及び文字データをメイン表示部２０から表示出力させ、テレビ音声データをサウンドスピーカ２３から出力させる。
【００２４】
キー操作部２４は、ダイヤル入力、文字入力、コマンド入力などを行うもので、ＣＰＵ１１は、キー操作部２４からのキー入力信号に応じた処理を実行する。クレードル接続部２５は、クレードル２に接続された際に、クレードル２からの充電電流によって二次電池（図示せず）を充電するもので、ＣＰＵ１１は、クレードル接続部２５から出力される接続検出信号に基づいて装置本体がクレードル２に接続されているか否かを検出するようにしている。
【００２５】
この場合、ＣＰＵ１１は、テレビ放送受信部２２の動作中にクレードル２に接続されているか否かに基づいて外部出力装置３が接続されているか否かを判別し、クレードル２に接続されていない場合（外部出力装置３が接続されていない場合）には、放送受信内容をメイン表示部（携帯画面）２０から逐次出力させるが、クレードル２に接続されている場合（外部出力装置３が接続されている場合）には、クレードル２を介して放送受信内容を外部出力装置３に送信することによって外部出力させる。
【００２６】
また、テレビ放送の受信出力中に電話着信を検出すると、ＣＰＵ１１は、テレビ放送の録画動作を開始させたのち、通話終了を検出するまで録画動作を継続させる。この場合、ＣＰＵ１１は、録画ファイルを生成して記憶部１２あるいは記録メディア１３に記録保存させる。そして、テレビ放送の受信中にユーザ操作によって録画ファイルの再生が指示されると、ＣＰＵ１１は、その再生動作を実行するが、この録画ファイルを読み出し、その映像をメイン表示部２０から再生出力させるか、外部出力装置３から再生出力させるかを決定する。
【００２７】
次にこの第１実施例における携帯電話装置の動作概念を図３及び図４に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。
なお、図３及び図４は、携帯電話装置の全体動作のうち、本実施例の特徴部分の動作概要を示したフローチャートであり、この図３及び図４のフローから抜けた際には、全体動作のフロー（図示省略）に戻る。
【００２８】
図３及び図４は、テレビ起動の指示操作に応じて実行開始されるＴＶアプリケーション処理を示したフローチャートである。
先ず、ＣＰＵ１１は、テレビ起動の指示操作に応答してテレビ放送受信部２２を起動させてテレビ放送の受信を開始したのち（ステップＡ１）、クレードル接続部２５をアクセスして装置本体がクレードル２に載置（接続）されたか否かに基づいてクレードル２を介して外部出力装置３に接続されているか否かを調べる（ステップＡ２）。その結果、外部出力装置３に接続されていなければ（ステップＡ２でＮＯ）、テレビ放送受信部２２からの放送受信内容（リアルタイム映像）をメイン表示部（携帯画面）２０から映像出力させる（ステップＡ６）。
【００２９】
一方、クレードル２を介して外部出力装置３が接続されていれば（ステップＡ２でＹＥＳ）、放送受信内容（リアルタイム映像）を外部出力装置３に送信して外部出力させるか否かをＹＥＳ／ＮＯ形式で問い合わせる確認メッセージを案内表示させる（ステップＡ３）。この案内表示を確認したユーザから肯定応答「する」を受けたときには、放送受信内容を外部出力装置３に送信することによってリアルタイム映像の外部出力を開始するが（ステップＡ４）、否定応答「しない」を受けたときには、上述のステップＡ６に移り、リアルタイム映像をメイン表示部２０から映像出力させる。
【００３０】
このようにリアルタイム映像をメイン表示部２０あるいは外部出力装置３から出力させている状態において、ＣＰＵ１１は、何らかの操作有無をチェックしたり（ステップＡ７）、電話着信の有無をチェックし（ステップＡ８）、更には、クレードル２の接続有無に応じて外部出力装置３の接続状態の変化をチェックする（ステップＡ９）。いま、電話着信を検出したときには（ステップＡ８でＹＥＳ）、その着信報知を行うが、その際、オフフック操作によって回線接続が確立されると（ステップＡ１０でＹＥＳ）、外部出力装置３が接続されていること（ステップＡ１１でＹＥＳ）、放送受信内容の外部出力中か、つまり、リアルタイム映像の出力先が外部出力装置３ではないこと（メイン表示部２０であること）を条件に（ステップＡ１２でＮＯ）、リアルタイム映像を外部出力装置３に送信してその外部出力を開始する（ステップＡ１３）。
【００３１】
そして、ＣＰＵ１１は、放送受信内容を逐次録画する録画動作を開始したのち（ステップＡ１４）、通話処理を行いながら（ステップＡ１５）オンフック操作などによって回線が遮断されるまで（ステップＡ１６）、通話可能状態となるが、回線が遮断されると（ステップＡ１６でＹＥＳ）、それに応答して録画動作を終了する（ステップＡ１７）。これによって記憶部１２あるいは記録メディア１３に記録された今回の録画ファイルは、今回の通話によってテレビ視聴が中断された放送内容となる。
【００３２】
そして、ＣＰＵ１１は、この録画ファイルを再生対象として選択したのち（ステップＡ１８）、図４のフローに移り、録画ファイル（録画コンテンツ）の再生動作を開始する（ステップＡ２２）。このようにテレビ視聴時に電話着信時（中断指示時）にそれ以降の映像を逐次録画する録画動作を開始したのち、ＣＰＵ１１は、その通話終了時（中断復帰指示時）にその録画内容を逐次再生する再生動作を開始する。この場合、録画ファイルの内容をその先頭位置に遡って再生するタイムシフト再生を開始する。なお、このタイムシフト再生は、例えば、1.2倍速でタイムシフト再生を行うようにしている。
【００３３】
そして、ＣＰＵ１１は、クレードル２の接続有無に基づいて外部出力装置３の接続有無を調べ（ステップＡ２３）、外部出力装置３が接続されていなければ、メイン表示部２０に対して再生内容（タイムシフト映像）を出力させる（ステップＡ２６）。これによってメイン表示部２０に表示される映像は、リアルタイム映像からタイムシフト映像に切り替えられる。また、外部出力装置３が接続されていれば（ステップＡ２３でＹＥＳ）、外部出力装置３からリアルタイム映像が出力中であるかを判別し（ステップＡ２４）、外部出力中であれば、タイムシフト映像をメイン表示部２０から出力させるが（ステップＡ２６）、リアルタイム映像を外部出力していない場合には（ステップＡ２４でＮＯ）、タイムシフト映像を外部出力装置３に送信して外部出力させる（ステップＡ２５）。以下、図３のフローに戻り、操作有無（ステップＡ７）、着信有無（ステップＡ８）、外部接続の変化有無をチェックする（ステップＡ９）。
【００３４】
ここで、外部出力装置３の接続状態が変化した場合、つまり、外部出力装置３が接続された場合あるいは外部出力装置３の接続状態が解除された場合には（ステップＡ９でＹＥＳ）、上述のステップＡ２に戻り、以下、リアルタイム映像を外部出力装置３あるいはメイン表示部２０から出力させる（ステップＡ２〜Ａ６）。すなわち、リアルタイム映像が外部出力装置３に表示出力されている状態において、装置本体がクレードル２から外されて外部出力装置３の接続が解除されたときには、リアルタイム映像は外部出力装置３からメイン表示部２０に切り替え表示される。逆に、リアルタイム映像がメイン表示部２０に表示出力されている状態において、外部出力装置３が接続された場合には、ユーザの確認を受けたうえでリアルタイム映像はメイン表示部２０から外部出力装置３に切り替え表示される。
【００３５】
また、何らかの操作が行われた場合には（ステップＡ７でＹＥＳ）、図７のフローに移り、録画コンテンツの再生を指示する再生指示操作であるか（ステップＡ１９）、映像出力先の切り替えを指示する切り替え操作であるか（ステップＡ２７）、再生終了を指示する終了操作であるかをチェックする（ステップＡ２９）。いま、再生終了の指示操作が行われたときには（ステップＡ２９でＹＥＳ）、再生動作を終了させたのち（ステップＡ３０）、図３のステップＡ７に戻る。
【００３６】
また、映像出力先の切り替え指示操作が行われたときには（ステップＡ２７でＹＥＳ）、メイン表示部２０と外部出力装置３と相互間においてその表示内容の切り替えが行われる（ステップＡ２８）。例えば、外部出力装置３にリアルタイム映像が表示され、メイン表示部２０に再生内容（タイムシフト映像）が表示されている状態において映像出力先の切り替えが指示された際には、メイン表示部２０にリアルタイム映像が表示され、外部出力装置３にタイムシフト映像が表示される。
【００３７】
また、録画コンテンツ再生指示操作が行われたときには（ステップＡ１９でＹＥＳ）、録画コンテンツメニューを表示出力させる（ステップＡ２０）。このメニュー画面は、録画予約などによって蓄積された各種の録画コンテンツからそのファイル名を読み出して一覧表示させたもので、このファイル名一覧の中から任意の録画コンテンツが再生対象として選択指定されると（ステップＡ２１）、ＣＰＵ１１は、この選択コンテンツの再生動作を開始したのち（ステップＡ２２）、上述と同様の処理に移る（ステップＡ２３〜Ａ２６）。なお、テレビ視聴の終了指示操作が行われた場合には（ステップＡ３１でＹＥＳ）、このフローから抜けるが、その他の操作が行われた場合には（ステップＡ３１でＮＯ）、この操作に対応する処理として、例えば、音量調整処理、輝度調整処理などを行う（ステップＡ３２）。
【００３８】
以上のように、この第１実施例においてＣＰＵ１１は、テレビ放送の受信時に外部出力装置３が装置本体に接続されているかを判別し、外部出力装置３が接続されている場合には、テレビ受信出力機能、録画再生機能のうちその何れか一方の機能によって得られた映像を当該外部出力装置３から逐次表示させるほか、他方の機能によって得られた映像を装置本体側のメイン表示部２０から逐次表示させることにより、現在放送中のリアルタイム映像とタイムシフト映像とを同時に表示出力させることができる。したがって、例えば、リアルタイム映像を外部出力装置３から外部出力させている場合に、その場を一時的に離れた人が戻ってきたときに、その中断個所からの再生が希望されたときには、そのタイムシフト映像をメイン表示部２０から出力させることができる。
【００３９】
この場合、ＣＰＵ１１は、外部出力装置３が接続されていれば、リアルタイム映像を当該外部出力装置３から逐次表示させ、外部出力装置３が接続されていなければ、メイン表示部２０から逐次表示させることにより、装置本体をクレードル２に載置（接続）するだけで、リアルタイム映像を外部出力装置３から外部表示させることができる。また、出力切り替え指示に応答して外部出力装置３とメイン表示部２０との相互間においてリアルタイム映像とタイムシフト映像との出力先を容易に切り替えることができる。
【００４０】
なお、メイン表示部２０上にタイムシフト再生映像とリアルタイム映像を同時に表示するために携帯画面を２分割して各映像を並列表示させると、個々の映像が極端に小さくなってしまい、見難く迫力に欠けるほか、メイン表示部２０で複数人が同時にテレビ視聴することは困難なものとなるが、この第１実施例のように、外部出力装置３とメイン表示部２０とを使用しての同時表示であれば、これらの問題を生じることはない。
【００４１】
また、ＣＰＵ１１は、テレビ放送の受信出力中において電話着信時のオフフック操作に応答してそれ以降のテレビ映像を逐次録画する録画動作を開始したのち、そのオンフック操作に応答してタイムシフト再生を開始して外部出力装置３あるいはメイン表示部２０から表示出力させることにより、テレビ視聴が通話によって中断されたとしても、その通話終了時には中断中の放送内容を視聴することができる。この場合、現在放送中のリアルタイム映像とタイムシフト映像との同時表示が可能となる。
【００４２】
（実施例２）
以下、この発明の第２実施例について図５及び図６を参照して説明する。
なお、上述した第１実施例においては、放送受信内容を逐次録画するようにしたが、この第２実施例においては、録画容量が所定時間（例えば、１分間）分のリンクバッファを設け、このリンクバッファに放送受信内容を順次上書き録画するようにしたものである。
ここで、両実施例において基本的あるいは名称的に同一のものは、同一符号を付して示し、その説明を省略すると共に、以下、第２実施例の特徴部分を中心に説明するものとする。
【００４３】
図５は、リンクバッファ３０を説明するための図である。
リンクバッファ３０は、１分間分の録画容量をもったバッファであり、ＣＰＵ１１は、その容量分の放送内容を順次上書き録画すると同時に、その録画内容をタイムシフト再生している状態において、現在の録画位置Ｐ１と再生位置Ｐ２とを比較することによって当該再生位置Ｐ２が録画位置Ｐ１に追いついたかを検出し、追いついた際にその再生動作を自動終了するようにしている。
【００４４】
ここで、（Ａ）は、録画を開始してから１分経過する前にタイムシフト再生が指示された場合を示し、（Ｂ）は、録画動作に応じて録画位置Ｐ１が順次更新されることによってその末尾位置に達した場合を示し、（Ｃ）は、録画位置Ｐ１がリンクバッファ３０の末尾位置から先頭位置に戻されたのちに上書き録画された場合を示した図である。なお、上述した第１実施例と同様に、タイムシフト再生は、例えば、1.2倍速で再生を行うようにしている。
【００４５】
図６は、第２実施例において、テレビ起動の指示操作に応じて実行開始されるＴＶアプリケーション処理を示したフローチャートである。
先ず、ＣＰＵ１１は、テレビ起動の指示操作に応じてテレビ放送受信部２２を起動させてテレビ放送の受信を開始すると共に（ステップＢ１）、この受信内容をリンクバッファ３０に録画する録画動作を開始する（ステップＢ２）。この場合、リンクバッファ３０の内容をクリアすると共に、その先頭位置に録画位置Ｐ１を合わせたのち、放送受信内容を録画する録画動作を開始する。
【００４６】
この状態において、クレードル２を介して外部出力装置３に接続されているかを調べ（ステップＢ３）、外部出力装置３に接続されていなければ、テレビ放送受信部２２からの放送受信内容（リアルタイム映像）をメイン表示部２０から映像出力させるが（ステップＢ４）、外部出力装置３が接続されていれば（ステップＢ３でＹＥＳ）、リアルタイム映像を外部出力装置３に送信して外部出力させる（ステップＢ５）。
【００４７】
このようにリアルタイム映像をメイン表示部２０あるいは外部出力装置３から出力させている状態において、ＣＰＵ１１は、何らかの操作有無をチェックしたり（ステップＢ６）、クレードル２の接続有無に応じて外部出力装置３の接続状態の変化をチェックする（ステップＢ７）。いま、外部出力装置３の接続状態が変化した場合、つまり、外部出力装置３が接続された場合あるいは外部出力装置３の接続が解除された場合には（ステップＢでＹＥＳ）、上述のステップＢ３に戻り、以下、放送受信内容（リアルタイム映像）を外部出力装置３あるいはメイン表示部２０から出力させる（ステップＢ３〜Ｂ５）。
【００４８】
また、何らかの操作が行われた場合には（ステップＢ６でＹＥＳ）、直前の放送内容の見直しを指示する指示操作が行われたかを調べ（ステップＢ８）、その他の操作であれば、この操作に対応する処理として、例えば、音量調整処理、輝度調整処理などを行うが（ステップＢ９）、見直し指示操作であれば（ステップＢ８でＹＥＳ）、リンクバッファ３０の先頭位置を再生位置Ｐ２としてその再生動作を開始する（ステップＢ１０）。そして、外部出力装置３に接続されているかを調べ（ステップＢ１１）、外部出力装置３に接続されていなければ、メイン表示部２０に表示されているリアルタイム映像に代えてリンクバッファ３０の録画内容（タイムシフト映像）を出力させる（ステップＢ１２）。
【００４９】
また、外部出力装置３が接続されていれば（ステップＢ１１でＹＥＳ）、外部出力装置３に表示されているリアルタイム映像に代えてタイムシフト映像の出力を開始させると共に（ステップＢ１３）、メイン表示部２０からリアルタイム映像の出力を開始させる（ステップＢ１４）。そして、再生終了の指示操作が行われたかをチェックし（ステップＢ１５）、終了指示を受けたときには、その時点で再生動作を終了したのち（ステップＢ１８）、上述のステップＢ６に移る。また、終了指示操作が行われなければ（ステップＢ１５でＮＯ）、現在の録画位置Ｐ１と再生位置Ｐ２とを比較し（ステップＢ１６）、再生位置Ｐ２が録画位置Ｐ１に追いついたかを判別し（ステップＢ１７）、追いついた際には、その再生動作を自動終了する（ステップＢ１８）。
【００５０】
以上のように、この第２実施例においてＣＰＵ１１は、リンクバッファ３０にその容量分の放送内容を順次上書き録画しながら外部出力装置３でテレビ放送を視聴している状態において、直前の放送内容の見直しが指示された際には、リンクバッファ３０への録画動作を継続しながらリンクバッファ３０の録画内容をメイン表示部２０に再生表示することにより、テレビ放送の視聴中に直前映像を携帯画面で簡単に確認することができる。
この場合、録画動作と共にタイムシフト再生している場合に現在の録画位置Ｐ１と再生位置Ｐ２とを比較することによって当該再生位置Ｐ２が録画位置Ｐ１に追いついた際に、その再生動作を自動終了することができる。
【００５１】
（実施例３）
以下、この発明の第３実施例について図７及び図８を参照して説明する。
なお、上述した第１実施例においては、テレビ放送を受信して出力する場合に、リアルタイム映像とタイムシフト映像との同時表示を示したが、この第３実施例においては、外部供給された映画コンテンツなどを再生出力する場合に、任意に指定した第１の再生位置からの再生映像と第２の再生位置からの再生映像を外部出力装置３、メイン表示部２０から出力可能としたものである。すなわち、同一のコンテンツを第１・第２の再生位置から時間差をもって再生するようにしたものである。
ここで、第１・第３実施例において基本的あるいは名称的に同一のものは、同一符号を付して示し、その説明を省略すると共に、以下、第３実施例の特徴部分を中心に説明するものとする。
【００５２】
図７は、第３実施例において、コンテンツ再生の指示操作に応じて実行開始される再生処理を示したフローチャートである。
先ず、ＣＰＵ１１は、外部記録メディア１３をアクセスし、それに記録されている各コンテンツの一覧を案内するためにコンテンツメニューを表示出力させる（ステップＣ１）。ここで、このメニュー画面の中から任意のコンテンツが再生対象としてユーザ選択されると共に（ステップＣ２）、その任意の位置が第１の再生位置としてユーザ指定されると（ステップＣ３）、ＣＰＵ１１は、この第１の再生位置から再生動作を開始する（ステップＣ４）。
【００５３】
そして、クレードル２を介して外部出力装置３に接続されているかを調べ（ステップＣ５）、外部出力装置３に接続されていれば、後述するステップＣ１１に移るが、外部出力装置３に接続されていなければ（ステップＣ５でＮＯ）、メイン表示部２０から再生映像を出力させる（ステップＣ６）。ここで、何らかの操作が行われたかをチェックしたり（ステップＣ７）、外部出力装置３の接続状態の変化をチェックする（ステップＣ１０）。いま、再生終了を指示する終了操作が行われた場合には（ステップＣ８でＹＥＳ）、この時点で再生処理の終了となるが（ステップＣ９）、外部出力装置３の接続状態が変化した場合、つまり、外部出力装置３に接続された場合には（ステップＣ１０でＹＥＳ）、再生映像をメイン表示部２０から外部出力装置３に切り替え表示させる（ステップＣ１１）。
【００５４】
この状態において、操作有無をチェックしたり（ステップＣ１２）、外部出力装置３の接続変化有無をチェックする（ステップＣ１３）。ここで、再生内容を携帯画面に表示させることを指示する端末再生指示操作が行われた場合には（ステップＣ１４でＹＥＳ）、時間差再生を行うかを問い合わせる確認メッセージを案内表示させる（ステップＣ１５）。ここで、時間差再生がユーザ指定されると共に、任意の位置が第２の再生位置としてユーザ指定されると（ステップＣ１６）、ＣＰＵ１１は、上述した第１の再生位置からの再生動作に並行して第２の再生位置からの再生動作を開始し、第２の再生位置からの再生映像をメイン表示部２０から出力させる（ステップＣ１７）。
【００５５】
図８は、再生対象として選択されたコンテンツファイル３１に対して任意に指定された２個所の再生位置を説明するための図である。
このコンテンツファイルに第１の再生位置ＡＰと第２の再生位置ＢＰが任意に指定されている状態において、コンテンツ再生が開始されると、第１の再生位置ＡＰからの再生動作が開始されてその再生映像が外部出力装置３に出力される。そして、端末再生が指示されて第２の再生位置ＢＰが指定されると、この第２の再生位置ＢＰからの再生動作が開始されてその再生映像がメイン表示部２０から出力される。これによって第１の再生位置ＡＰからの再生動作と第２の再生位置ＢＰからの再生動作が並列的に実行される。なお、外部記録メディア１３から外部供給されるコンテンツとしては、インターネットを介してダウンロード受信して外部記録メディア１３に保存されたものであってもよい。
【００５６】
この状態において、再生映像の出力先を切り替える指示操作が行われると（ステップＣ１８でＹＥＳ）、上述した第1実施例と同様に、メイン表示部２０と外部出力装置３と相互間においてその表示内容の切り替えを行う（ステップＣ１９）。例えば、外部出力装置３に第１の再生位置ＡＰからの再生映像が表示され、メイン表示部２０に第２の再生位置ＢＰからの再生映像が表示されている状態において、映像出力先の切り替えが指示された際には、メイン表示部２０には第１の再生位置ＡＰからの再生映像が表示され、外部出力装置３には第２の再生位置ＢＰからの再生映像が表示される。なお、再生終了の指示操作が行われたときには（ステップＣ２０でＹＥＳ）、上述のステップＣ９に移り、再生動作の終了となる。
【００５７】
以上のように、この第３実施例においては、外部記録メディア１３から外部供給されたコンテンツを再生出力する場合に、任意に指定した第１の再生位置ＡＰからの再生映像と第２の再生位置ＢＰからの再生映像を外部出力装置３、メイン表示部２０から同時に出力することにより、同一のコンテンツであっても異なる内容（時間差をもった内容）を同時視聴することが可能となる。この場合、第１の再生位置ＡＰからの再生動作と第２の再生位置ＢＰからの再生動作とを並行的に行う場合に、早送り操作あるいは早戻し操作が行われた場合には、その両方の早送り、早戻しを同時に行うようにしてもよい。
【００５８】
なお、上述した各実施例においては、クレードル２に装置本体が載置（接続）されたか否かに基づいてクレードル２を介して外部出力装置３に接続されているか否かを調べるようにしたが、クレードル２にコネクタ部を設け、このコネクタ部に外部出力装置３が接続されているか否かに基づいて外部出力装置３の接続有無を判別するようにしてもよい。また、装置本体に外部出力装置３を直接ケーブル接続したり、コネクタ接続するようにしてもよい。また、上述した各実施例においては、クレードル２と外部出力装置との間における通信手段として、赤外線通信を行う場合を例示したが、例えば、近距離無線通信を使用するようにしてもよい。
【００５９】
上述した各実施例においては、外部出力装置としてＰＣあるいは固定テレビ装置を例示したが、投影スクリーンなどであってもよい。また、テレビ放送受信部２２は、ダブルチューナを搭載したものであってもよい。
また、上述した各実施例では音声出力については特に言及しなかったが、外部出力装置及び携帯電話装置で映像を同時に出力しているときには、それぞれ個別にその音声を出力するようにしている。この場合、携帯電話装置側ではイヤホンからの音声出力を条件としてもよい。
その他、テレビ放送受信機能付きの携帯電話装置に限らず、例えば、テレビ放送受信機能付きのＰＤＡ・電子カメラ・電子腕時計・音楽再生機などの携帯端末装置であっても同様に適用可能である。
【００６０】
上記の実施形態の一部又は全部は、以下の付記のようにも記載され得るが、以下には限られない。
【００６１】
（付記１）
テレビ放送を受信して出力する受信出力機能と、その放送内容を逐次記録すると共に当該記録内容を再生する記録再生機能を備えた携帯端末装置であって、
テレビ放送の受信時に、映像を出力する外部出力装置が装置本体に接続されているかを判別する判別手段と、
この判別手段によって外部出力装置が接続されていると判別された場合に、前記受信出力機能、記録再生機能のうちその何れか一方の機能によって得られた映像を第１の映像として当該外部出力装置から逐次出力させるほか、他方の機能によって得られた映像を前記第１の映像とは異なる第２の映像として装置本体側の表示部から逐次出力させる出力制御手段と、
を具備したことを特徴とする携帯端末装置。
【００６２】
（付記２）
前記出力制御手段は、外部出力装置が接続されていれば、前記受信出力機能によって得られた放送受信内容を当該外部出力装置から逐次出力させ、外部出力装置が接続されていなければ、装置本体側の表示部から逐次出力させる、
ようにしたことを特徴とする付記１記載の携帯端末装置。
【００６３】
（付記３）
前記記録再生機能は、前記外部出力装置からの映像出力中にその中断指示に応答してそれ以降の映像を逐次記録する記録動作を開始したのち、その中断復帰指示に応答してその記録内容を逐次再生する再生動作を開始し、
前記出力制御手段は、前記受信出力機能によって得られた映像を第１の映像として当該外部出力装置から逐次出力させている状態において、前記再生動作の開始に応じてその再生内容を前記外部出力装置あるいは装置本体側の表示部から逐次出力させる、
ようにしたことを特徴とする付記１記載の携帯端末装置。
【００６４】
（付記４）
前記記録再生機能は、前記外部出力装置から出力される映像を逐次記録している状態において、見直し指示に応答してその記録内容を逐次再生する再生動作を開始し、
前記出力制御手段は、前記受信出力機能によって得られた映像を第１の映像として当該外部出力装置から逐次出力させている状態において、前記再生動作の開始に応じてその再生内容を前記外部出力装置あるいは装置本体側の表示部から逐次出力させる、
ようにしたことを特徴とする付記１記載の携帯端末装置。
【００６５】
（付記５）
前記出力制御手段は、前記受信出力機能によって得られた映像をリアルタイム映像として外部出力装置から逐次出力させている場合に、このリアルタイム映像を記録した記録内容を遡って再生するタイムシフト再生が指示された際に、前記記録再生機能によって得られたタイムシフト映像を装置本体側の表示部から逐次出力させる、
ようにしたことを特徴とする付記１記載の携帯端末装置。
【００６６】
（付記６）
前記記録再生機能は、現在の放送内容を受信して一時記録する録画メモリにその容量分の放送内容を順次上書き記録すると共に、その記録内容をタイムシフト再生している状態において、現在の録画位置と再生位置とを比較することによって当該再生位置が録画位置に追いついたことを検出した際に、その再生動作を終了する、
ようにしたことを特徴とする付記１記載の携帯端末装置。
【００６７】
（付記７）
装置本体に着脱自在に装着可能な外部記録媒体に記録されている映像コンテンツを読み出して逐次再生する再生機能を備えた携帯端末装置であって、
前記映像コンテンツの再生時に、映像を出力する外部出力装置が装置本体に接続されているかを判別する判別手段と、
この判別手段によって外部出力装置が接続されていると判別された場合に、第１の再生開始位置から順次読み出した映像を第１の映像として当該外部出力装置から逐次出力させるほか、第２の再生開始位置から順次読み出した映像を前記第１の映像とは異なる第２の映像として装置本体側の表示部から逐次出力させる出力制御手段と、
を具備したことを特徴とする携帯端末装置。
【００６８】
（付記８）
前記出力制御手段は、出力切り替え指示に応答して外部出力装置と装置本体側の表示部との相互間において前記第１及び第２の映像の出力先を切り替える、
ようにしたことを特徴とする付記1あるいは付記７記載の携帯端末装置。
【００６９】
（付記９）
コンピュータに対して、
テレビ放送の受信時に、映像を出力する外部出力装置が装置本体に接続されているかを判別する機能と、
外部出力装置が接続されていると判別された場合に、テレビ放送を受信して出力する受信出力機能と、その放送内容を逐次記録すると共に当該記録内容を再生する記録再生機能のうち、その何れか一方の機能によって得られた映像を第１の映像として当該外部出力装置から逐次出力し、他方の機能によって得られた映像を前記第１の映像とは異なる第２の映像として装置本体側の表示部から逐次出力する機能、
を実現させるためのプログラム。
【００７０】
（付記１０）
コンピュータに対して、
装置本体に着脱自在に装着可能な外部記録媒体に記録されている映像コンテンツを読み出して逐次再生する機能と、
前記映像コンテンツの再生時に、映像を出力する外部出力装置が装置本体に接続されているかを判別する機能と、
外部出力装置が接続されていると判別された場合に、第１の再生開始位置から順次読み出した映像を第１の映像として当該外部出力装置から逐次出力し、第２の再生開始位置から順次読み出した映像を前記第１の映像とは異なる第２の映像として装置本体側の表示部から逐次出力する機能と、
を実現させるためのプログラム。
【符号の説明】
【００７１】
１    携帯電話装置
２    クレードル
３    外部出力装置
１１  ＣＰＵ
１２  記憶部
１３  外部記録メディア
１５  電話通信部
２０  メイン表示部
２２  テレビ放送受信部
２３  サウンドスピーカ
２４  キー操作部
２５  クレードル接続部
３０  リンクバッファ
３１  コンテンツファイル
【図１】
0005643149.tif 000002
【図２】
0005643149.tif 000003
【図３】
0005643149.tif 000004
【図４】
0005643149.tif 000005
【図５】
0005643149.tif 000006
【図６】
0005643149.tif 000007
【図７】
0005643149.tif 000008
【図８】
0005643149.tif 000009